(57)【要約】【課題】外部からの信号を受信してアプリケーションプログラムを実行することができる携帯端末を提供すること。【解決手段】本発明の携帯端末（１、５）は、アプリケーションプログラムを記憶する記憶部（１４、５３）と、所定のアプリケーションプログラムの指定と実行命令を含むトリガー信号を受信する外部信号入力部（１３、５２）と、トリガー信号に応答して、記憶部（１４、５３）からトリガー信号が指定するアプリケーションプログラムを読み出して、実行する演算部（１１、５１）と、を具備する。【選択図】  図１
2004213502.tif 000002
【特許請求の範囲】
【請求項１】
アプリケーションプログラムを記憶する記憶部と、
所定のアプリケーションプログラムの指定と実行命令を含むトリガー信号を受信する受信部と、
前記トリガー信号に応答して、前記記憶部から前記トリガー信号が指定するアプリケーションプログラムを読み出して、実行する演算部と、
を具備する、
携帯端末。
【請求項２】
さらに、ネットワークと通信するための通信部を具備し、
前記通信部は、前記ネットワークを介して、アプリケーションプログラムを取得する、
請求項１に記載された携帯端末。
【請求項３】
前記通信部は、携帯電話回線を使用して、前記ネットワークと通信する、
請求項２に記載された携帯端末。
【請求項４】
前記トリガー信号は、さらに、指定するアプリケーションプログラムを配信している前記ネットワーク上のサイトのアドレスを含み、
前記演算部は、前記トリガー信号に応答し、前記通信部が前記サイトと通信して前記トリガー信号が指定するアプリケーションプログラムを取得するよう制御し、取得したアプリケーションプログラムを実行する、
請求項２または３に記載された携帯端末。
【請求項５】
前記受信部は無線を受信する無線受信部であり、前記無線受信部が、無線送信された前記トリガー信号を受信する、
請求項１〜４のいずれかに記載された携帯端末。
【請求項６】
前記受信部は、前記トリガー信号を、車載器から受信する、
請求項１〜４のいずれかに記載された携帯端末。
【請求項７】
所定のアプリケーションプログラムの指定と実行命令を含むトリガー信号を発信する通信機と、
前記トリガー信号を受信し、前記トリガー信号で指定されたアプリケーションプログラムを実行する前記携帯端末と、
を具備する、
通信システム。
【請求項８】
所定のアプリケーションプログラムの指定と実行命令を含むトリガー信号を発信する通信機と、
前記トリガー信号を受信する車載器と、
前記車載器から前記トリガー信号が入力され、前記トリガー信号で指定されたアプリケーションプログラムを実行する前記携帯端末と、
を具備する、
通信システム。
【請求項９】
さらに、前記携帯端末は、アプリケーションプログラムを記憶する記憶部を具備し、
前記携帯端末は、前記トリガー信号で指定されたアプリケーションプログラムを前記記憶部から読み出して実行する、
請求項７または８に記載された通信システム。
【請求項１０】
さらに、前記携帯端末は、ネットワークと通信する通信部を具備し、
前記トリガー信号は、さらに、前記ネットワーク上で、前記トリガー信号が指定するアプリケーションプログラムを配信しているサイトのアドレスを含み、
前記携帯端末は、前記通信部により前記ネットワークを介して前記サイトと通信し、前記トリガー信号が指定するアプリケーションプログラムを取得する、
請求項７または８に記載された通信システム。
【請求項１１】
前記通信機は、狭域専用通信（ＤＳＲＣ）を用いて、前記トリガー信号を送信する、
請求項７〜１０のいずれかに記載された通信システム。
【請求項１２】
前記通信機は、通行料金収受システムにおける路側機に具備される、
請求項７〜１１のいずれかに記載された通信システム。
【請求項１３】
前記携帯端末は、携帯電話である、
請求項７〜１２のいずれかに記載された通信システム。
【発明の詳細な説明】
【０００１】
【発明の属する技術分野】
本発明は、携帯端末に関し、特に外部信号に応答してアプリケーションプログラムを実行する携帯端末に関する。
【０００２】
【従来の技術】
有料道路を通行する車両から通行料金を徴収するため通行料金収受システム（いわゆるＥＴＣ）が使用されている。通行料金収受システムでは、車両が走行した状態で、車両に搭載された車載器と、路側に設置された路側機とが、ガントリ等に設置されたアンテナを介して通信し、車載器にセットされているＩＣカード等の所有者の預金口座などから通行料金を引き落とすことができる。
通行料金収受システムで使用される路側機と車載器の間では、狭域専用通信（ＤＳＲＣ；Ｄｅｄｉｃａｔｅｄ  Ｓｈｏｒｔ  Ｒａｎｇｅ  Ｃｏｍｍｕｎｉｃａｔｉｏｎ）が使用される場合がある。狭域専用通信は、路側機が、路上の所定の領域を通過する車両と通信するために用いられる。路側機が、所定の領域以外の車両と通信すると、誤課金が発生する場合があるため、路側機の通信領域は、所定の領域に限定されることが好ましい。
【０００３】
有料道路に設置された路側機との間で情報の送受信を行って自動料金収受サービスを実行する車両用料金収受システムであって、上記自動料金収受サービスを受けている時には、該自動料金収受システムの受信手段を用いて上記所定の自動料金収受サービスとは異なる所定のデータをダウンロードするダウンロード手段と、上記自動料金収受サービスの終了後に、ダウンロードされたデータを再生する再生手段とを備えた車両用料金収受システムが開示されている（特許文献１）。
【０００４】
有料道路の利用料金を走行しながら無線通信にて収受決済する自動料金収受システム用車載器において、前記車載器本体に携帯電話端末の接続可能な端子を備えた自動料金収受システム用車載器が開示されている（特許文献２）。
【０００５】
道路のゲートを通過する車両内の電話装置と通信を行って、前記道路の通行料金を徴収する路側システムの課金方法であって、前記ゲートを通過する車両内の電話装置を前記路側システムと通信可能な状態にして、前記電話装置から予め登録された電話番号について送信された前記電話番号を受信し、この受信した電話番号に対する料金支払い口座から前記道路の通行料金を徴収することを特徴とする課金方法が開示されている（特許文献３）。
【０００６】
通常、通行料金収受システムで使用される路側機と車載器の間では、狭域専用通信が使用される。路側機と車両との通信は、車両が狭い領域を通過する間に行われるため通信時間が限定される。
このため、送受信されるデータ量は少ないことが望ましい。
【０００７】
また、マルチアプリケーションプログラム対応型の携帯電話が使用されている。マルチアプリケーションプログラム対応型の携帯電話は、ネットワーク上のサイトや他の機器から複数のアプリケーションプログラムをダウンロードして記憶し、記憶しているアプリケーションプログラムが選択されることで、そのアプリケーションプログラムを実行することができる。
【０００８】
なお、上記および下記の特許文献の記載は、記載された特許文献を、有効な文献として認める趣旨ではない。
【０００９】
【特許文献１】
特開２００１−３４７９８号公報
【特許文献２】
特開２００１−５２２１８号公報
【特許文献３】
特開２００２−２６９６１０号公報
【００１０】
【発明が解決しようとする課題】
本発明の目的は、外部からの信号を受信してアプリケーションプログラムを実行することができる携帯端末を提供することにある。
本発明の他の目的は、さらに、外部からの信号を受信してアプリケーションプログラムを取得し、実行することができる携帯端末を提供することにある。
【００１１】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００１２】
本発明の携帯端末（１、５）は、アプリケーションプログラムを記憶する記憶部（１４、５３）と、所定のアプリケーションプログラムの指定と実行命令を含むトリガー信号を受信する受信部（１３、５２）と、トリガー信号に応答して、記憶部（１４、５３）からトリガー信号が指定するアプリケーションプログラムを読み出して、実行する演算部（１１、５１）と、を具備する。
【００１３】
本発明の携帯端末（１、５）は、さらに、ネットワーク（３２）と通信するための通信部（１２、５２）を具備し、通信部（１２、５２）は、ネットワーク（３２）を介して、アプリケーションプログラムを取得することができる。
【００１４】
本発明の携帯端末（１、５）の通信部（１２、５２）は、携帯電話回線を使用して、ネットワーク（３２）と通信する場合がある。
【００１５】
トリガー信号は、さらに、指定するアプリケーションプログラムを配信しているネットワーク（３２）上のサイト（３１）のアドレスを含む。
本発明の携帯端末（１、５）の演算部（１１、５１）は、トリガー信号に応答し、通信部（１２、５２）がサイト（３１）と通信してトリガー信号が指定するアプリケーションプログラムを取得するよう制御し、取得したアプリケーションプログラムを実行する。
【００１６】
本発明の携帯端末（１、５）の受信部（１３、５２）は無線信号を受信する受信部を含み、無線受信部が、無線送信されたトリガー信号を受信する場合がある。
【００１７】
本発明の携帯端末（１）の受信部（１３）は、トリガー信号を、車載器（４）から無線もしくは有線で受信する場合がある。
【００１８】
本発明の通信システムの一形態は、所定のアプリケーションプログラムの指定と実行命令を含むトリガー信号を発信する通信機（２，６）と、トリガー信号を受信し、トリガー信号で指定されたアプリケーションプログラムを実行する携帯端末（１、５）と、を具備する。
【００１９】
本発明の通信システムの一形態は、所定のアプリケーションプログラムの指定と実行命令を含むトリガー信号を発信する通信機（２，６）と、トリガー信号を受信する車載器（４）と、車載器（４）からトリガー信号が入力され、トリガー信号で指定されたアプリケーションプログラムを実行する携帯端末（１、５）と、を具備する。
【００２０】
本発明の通信システムは、さらに、携帯端末（１、５）は、アプリケーションプログラムを記憶する記憶部（１４、５３）を具備し、携帯端末（１、５）は、トリガー信号で指定されたアプリケーションプログラムを記憶部（１４、５３）から読み出して実行する。
【００２１】
さらに、本発明の通信システムの携帯端末（１、５）は、ネットワーク（３２）と通信する通信部（１２、５２）を具備し、トリガー信号は、さらに、ネットワーク（３２）上で、トリガー信号が指定するアプリケーションプログラムを配信しているサイト（３１）のアドレスを含み、携帯端末（１、５）は、通信部（１２、５２）によりネットワーク（３２）を介してサイト（３１）と通信し、トリガー信号が指定するアプリケーションプログラムを取得する。
【００２２】
本発明の通信システムの通信機（２、６）は、狭域専用通信（ＤＳＲＣ）を用いて、トリガー信号を送信する。
【００２３】
本発明の通信システムの通信機（２、６）は、通行料金収受システムにおける路側機に具備される。
【００２４】
本発明の通信システムの携帯端末（１、５）は、携帯電話である場合がある。
【００２５】
【発明の実施の形態】
添付図面を参照して、本発明による携帯端末およびその携帯端末を使用する通信システムの実施の形態を以下に説明する。
【００２６】
（実施の形態１）
図１に実施の形態１における携帯端末および通信システムの概要が示される。
本発明の通信システムは、携帯端末１、路側機２、基地局３、車載器４を具備する。
路側機２と車載器４は、通行料金収受のためのデータを送受信している。さらに、路側機２から車載器４へ、トリガー信号が送信される。トリガー信号の説明は後述される。
車載器４は、携帯端末１と有線で接続され、もしくは無線通信可能で、トリガー信号を含む情報を携帯端末１に送信する。
携帯端末１は、トリガー信号に応答して、記憶しているアプリケーションプログラムを選択し実行することができる。さらに、携帯端末１は、トリガー信号に応答して、基地局３と無線通信し、基地局３とネットワーク３２を介してアプリケーション配信サイト３１から、アプリケーションプログラムをダウンロードすることができる。携帯端末１は、無線電話網、インターネット、ブルートゥース、無線ＬＡＮに例示される通信手段で基地局３と通信する。
【００２７】
携帯端末１は、マルチアプリケーション対応の携帯電話、無線電話通信もしくは無線ＬＡＮ通信に例示される通信手段を具備した携帯型パソコンもしくは携帯端末（ＰＤＡ）に例示される。さらに、携帯端末１は、外部からのトリガー信号を自動的に受信し、トリガー信号に応答して動作する機能を具備する。
【００２８】
携帯端末１は、演算部１１、通信部１２、外部信号入力部１３、記憶部１４を具備する。
演算部１１は、ＣＰＵを含む演算装置で、通信部１２の制御、記憶部１４へのデータの書き込み／読出し、アプリケーションプログラムの実行をすることができる。
通信部１２は、基地局３と無線通信するための送受信部である。
外部信号入力部１３は、外部から有線もしくは無線でトリガー信号を受信する受信部であり、入力端子部もしくは無線受信部に例示される。
記憶部１４は、ハードディスクに例示される記憶装置で、複数のアプリケーションプログラム（ＡＰ１〜ＡＰｎ）を記憶することができる。
【００２９】
路側機２は、特定の領域を通過する車両と通信することができる通信部２１を具備する。通信部２１は、狭域専用通信（ＤＳＲＣ；Ｄｅｄｉｃａｔｅｄ  Ｓｈｏｒｔ  Ｒａｎｇｅ  Ｃｏｍｍｕｎｉｃａｔｉｏｎ）を用いて、車載器４と通信する場合がある。
路側機２から発信される信号Ｄ１は、トリガー信号を含む。
トリガー信号は、実行するアプリケーションの指定情報およびアプリケーションの実行命令を含む。さらに、トリガー信号は、指定するアプリケーションを配信するアプリケーション配信サイト３１のアドレスを含む場合がある。
なお、トリガー信号は、連続的に常時送信される場合、特定の状況や管理者の指示により送信される場合がある。
【００３０】
車載器４は、車両に搭載される通行料金課金システムで使用される車載器に例示される。車載器４は課金情報を路側機２と送受信することに加え、路側機２から信号Ｄ１に含まれるトリガー信号を受信し、携帯端末１に有線または無線で送信する出力部を具備する。
【００３１】
基地局３は、携帯端末１と無線通信可能な通信機器を具備し、さらに基地局３は、ネットワーク３２を介して、アプリケーション配信サイト３１とデータの送受信をすることができる。基地局３は、携帯電話用基地局もしくは無線ＬＡＮのアクセスポイントに例示され、ネットワーク３２はインターネットに例示される。
基地局３と携帯端末１の間の通信は、携帯電話回線による通信もしくは無線ＬＡＮによる通信が使用される場合がある。
【００３２】
アプリケーション配信サイト３１は、ネットワーク３２に接続されたサーバに例示され、アプリケーションプログラムを配信する。
【００３３】
図２に、実施の形態１における第一例の通信方法のステップが示される。
路側機２の通信機から、トリガー信号を含む信号ａ１が発信されている。
トリガー信号は、アプリケーションプログラムの指定、アプリケーションプログラムの実行命令、アプリケーションプログラムを配信しているアプリケーション配信サイトのアドレスを含む。
車載器４は信号ａ１を受信し、信号ａ１からトリガー信号を含む信号ａ２を抽出して、携帯端末１に送信する。携帯端末１は、外部信号入力部１３で、信号ａ２を受信し、演算部１１は、トリガー信号が指定しているアプリケーションプログラムを記憶部１４が記憶しているか検索する。
記憶部１４が、トリガー信号が指定しているアプリケーションプログラムを記憶している場合は、演算部１１がそのアプリケーションプログラムを読み出して実行する。
記憶部１４が、トリガー信号が指定しているアプリケーションプログラムを記憶していない場合は、演算部１１の制御により、通信部１２が、トリガー信号から、そのアプリケーションプログラムを配信しているアプリケーション配信サイト３１のアドレスを抽出し、アドレスを指定して、基地局３にダウンロード指令ａ３を送信する。
基地局３は、ネットワーク３２を介してアプリケーション配信サイト３１と通信し、指定されたアプリケーションプログラムを含む信号ａ４を、携帯端末１に送信する。
携帯端末１は、アプリケーションプログラムを含む信号ａ４を受信し、そのアプリケーションプログラムをインストールして実行する。
【００３４】
図３に、実施の形態１における第一例の通信方法における携帯端末１の動作が示される。
携帯端末１は、トリガー信号を含む信号を受信する（Ｓａ２）。
トリガー信号は、アプリケーションプログラムの指定、アプリケーションプログラムの実行命令、アプリケーションプログラムを配信しているアプリケーション配信サイト３１のアドレスを含む。
携帯端末１の演算部１１は、トリガー信号のアプリケーションプログラムの指定を参照し、記憶部１４にそのアプリケーションプログラムが記憶されているか検索する（Ｓａ２）。
記憶部１４が指定されたアプリケーションプログラムを記憶している場合は、演算部１１がそのアプリケーションプログラムを読み出して実行する（Ｓａ５）。
記憶部１４が指定されたアプリケーションプログラムを記憶していない場合は、演算部１１の制御により、通信部１３が、基地局３、ネットワーク３２を介して、トリガー信号に含まれるアドレスのアプリケーション配信サイト３１へ、アプリケーションの送信依頼を含む信号を発信する。通信部１３が、ネットワーク３２、基地局３、を介して、アプリケーション配信サイト３１から、アプリケーションプログラムを含む信号を受信し（Ｓａ４）、演算部１１が、アプリケーションプログラムをインストールして実行する（Ｓａ５）。なお、演算部１１は、アプリケーションプログラムを受信した後に、記憶部１４に記憶する場合がある。
【００３５】
上記のように、通信により携帯端末１がトリガー信号で指定されたアプリケーションプログラムを、自動的に入手することにより、携帯端末１がアプリケーションプログラムを記憶していない場合でも、指定されたアプリケーションプログラムを取得して実行することができる。
さらに、トリガー信号は、アプリケーションプログラム自体をダウンロードする場合よりデータ量が小さく、路側機２と車載器４との通信可能時間の中でも通信可能である。さらに、携帯端末１によるアプリケーションプログラムの取得（ダウンロード）は、路側機２と車載器４の間の通信とは別の携帯電話や無線ＬＡＮなどの通信系で行われるので、路側機２と車載器４との通信のような通信時間制限がない、もしくは通信時間制限が長い。
【００３６】
図４に、実施の形態１における第二例の通信方法のステップが示される。
携帯端末１は、使用者の操作により、またはタイムスケジュールにより、事前に基地局３、ネットワーク３２を介して、アプリケーション配信サイト３１に、アプリケーションプログラム送信指令を含む信号ｂ１を送信し、アプリケーション配信サイト３１から、ネットワーク３２、基地局３を介してアプリケーションプログラムを含む信号ｂ２を受信している。携帯端末１は、受信したアプリケーションプログラムを記憶部１４に記憶する。記憶部１４に記憶されるアプリケーションプログラムは複数もしくは単数の場合がある。
路側機２の通信機から狭域専用通信を使用して、トリガー信号を含む信号ｂ３が発信されている。
トリガー信号は、アプリケーションプログラムの指定、アプリケーションプログラムの実行命令を含む。
車載器４は所定の領域を通過する時に路側機２から信号ｂ３を受信し、信号ｂ３からトリガー信号を含む信号ｂ４を抽出して、携帯端末１に送信する。携帯端末１は、外部信号入力部１３から信号ｂ４を受信し、演算部１１でトリガー信号が指定しているアプリケーションプログラムを記憶部１４が記憶しているか検索する。
記憶部１４が、トリガー信号で指定されたアプリケーションプログラムを記憶している場合は、演算部１１がそのアプリケーションプログラムを読み出して実行する。
記憶部１４が、トリガー信号で指定されたアプリケーションプログラムを記憶していない場合は、何も実行しない。
【００３７】
図５に、実施の形態１における第二例の通信方法における携帯端末１の動作が示される。
携帯端末１は、トリガー信号を含む信号を受信する（Ｓａ２）。
トリガー信号は、アプリケーションプログラムの指定、アプリケーションプログラムの実行命令を含む。
演算部１１は、トリガー信号のアプリケーションプログラムの指定を参照し、記憶部１４にそのアプリケーションプログラムが記憶されているか検索する（Ｓａ２）。
記憶部１４に指定されたアプリケーションプログラムが記憶されている場合は、演算部１１がそのアプリケーションプログラムを読み出して実行する（Ｓａ５）。
記憶部１４に指定されたアプリケーションプログラムが記憶されていない場合は、そのまま終了する。
【００３８】
上記のように、携帯端末１が、事前にアプリケーションプログラムを取得して記憶し、トリガー信号を受信した時に、アプリケーションプログラムを実行することにより、トリガー信号を受信してから短時間で実施されることが好ましいアプリケーションプログラムを、短時間で実行することができる。
なお、携帯端末１は、アプリケーションプログラムを基地局３との通信で取得する他、所定の装置や媒体から取得（ダウンロード）するように構成されることができる。
【００３９】
なお、上記の路側機２からのトリガー信号の送信は、料金収受システムにおける課金情報の送信時に行われる他、料金収受場所以外に設けられたトリガー信号送付用の路側機２から送付される場合がある。
【００４０】
トリガー信号送付用の路側機２は、料金所以外にも目的に合わせて設置される場合がある。具体的には、駐車場や観光地、ドライブスルーを用いた店舗の駐車場に設置される場合がある。
【００４１】
トリガー信号送付用の路側機２がドライブスルーを用いた店舗で使用される場合、ドライブスルーの入口に簡易アンテナを設置し、狭域専用通信（ＤＳＲＣ）を用いたトリガー信号を発信する。トリガー信号は、携帯電話でメニューの表示、注文、決済をするためのアプリケーションを特定する情報を含む。車載器がトリガー信号を受信し、携帯電話に送信する。携帯電話はアプリケーションプログラムを電話網、インターネット、ブルートゥース、無線ＬＡＮの少なくともいずれかの携帯電話に装備された機能を使用して取得する。
利用者は、携帯電話で注文、決済を行う。
【００４２】
トリガー信号送付用の路側機２が駐車場や観光地で使用される場合、駐車場や観光地の入口で狭域専用通信（ＤＳＲＣ）を用いてトリガー信号を発信する。トリガー信号は、携帯電話が駐車場の空き情報や経路案内を行うアプリケーションを特定するための情報を含む。車載器がトリガー信号を受信し、トリガー信号を携帯電話に送信する。携帯電話はアプリケーションプログラムを電話網、インターネット、ブルートゥース、無線ＬＡＮの少なくともいずれかの携帯電話に装備された通信機能を使用して取得する。駐車場や観光地内にもアンテナが設置され、走行位置が車載器経由で携帯電話に送られる。携帯電話と管理センタで位置情報を交換し、空き情報や通行経路が携帯電話から出力される場合がある。
【００４３】
なお、携帯端末１で取得されたアプリケーションプログラムは、車載器４に転送され、車載器４により使用される場合がある。
通常、車載器４は、路側機２との通信機能しか有しない場合があるので、車載器４はアプリケーションプログラムをダウンロードできない場合がある。路側機２からのトリガー信号により、携帯端末１が車載器４で使用されるアプリケーションプログラムを取得できることは、車載器４で使用されるプログラムのバージョンアップを行う場合などに好ましい。
【００４４】
（実施の形態２）
図６に実施の形態２における携帯端末および通信システムの概要が示される。
本発明の通信システムは、携帯端末５、路側機６、基地局３を具備する。
路側機６は携帯端末５に、通行料金収受のためのデータを送信する場合がある。さらに、路側機６から携帯端末５へ、後述されるトリガー信号が送信される。本実施の形態２では、携帯端末５が路側機６からの信号を直接受信する機能を有し、車載器４を介さず、路側機６と携帯端末５が直接通信する。
携帯端末５は、マルチアプリケーション対応の携帯電話、無線ＬＡＮ通信が可能な携帯型パソコンもしくは携帯端末（ＰＤＡ）に例示される。さらに、携帯端末１は、外部からのトリガー信号を自動的に受信し、動作する機能を具備する。
さらに、携帯端末５は、トリガー信号に応答して、基地局３と無線通信し、基地局３およびネットワーク３２を介してアプリケーション配信サイト３１から、アプリケーションプログラムをダウンロードすることができる場合がある。
携帯端末５は、無線電話網、無線ＬＡＮに例示される通信手段で基地局３と通信する。
【００４５】
携帯端末５は、演算部５１、通信部５２、記憶部５３を具備する。
演算部５１は、ＣＰＵを含む演算装置で、通信部５２の制御、記憶部５３へのデータの書き込み／読出し、アプリケーションプログラムの実行をすることができる。
通信部５２は、路側機６および基地局３と無線通信するための送受信部である。通信部５２は、路側機６からトリガー信号を含む信号を受信し、演算部５１へ送信する。さらに、通信部５２は、演算部５１からの指定により基地局３と通信して、アプリケーション配信サイト３１からアプリケーションプログラムを取得するための通信を行う。通信方法の違いにより、路側機６と基地局３の送受信部が別々に設けられる場合がある。
記憶部５３は、ハードディスクに例示される記憶装置で、複数のアプリケーションプログラム（ＡＰ１〜ＡＰｎ）を記憶することができる。
【００４６】
路側機６は、特定の領域を通過する車両と通信することができる通信部６１を具備する。通信部６１は、狭域専用通信（ＤＳＲＣ；Ｄｅｄｉｃａｔｅｄ  Ｓｈｏｒｔ  Ｒａｎｇｅ  Ｃｏｍｍｕｎｉｃａｔｉｏｎ）により、携帯端末５と通信する場合がある。
路側機６から発信される信号Ｅ１は、トリガー信号を含み、トリガー信号は、実行するアプリケーションの指定情報および実行命令を含む。
さらに、トリガー信号は、指定するアプリケーションを配信するアプリケーション配信サイト３１のアドレスを含む場合がある。
【００４７】
基地局３は、携帯端末５と無線通信可能な通信機器を具備し、さらに基地局３は、ネットワーク３２を介して、アプリケーション配信サイト３１とデータの送受信をすることができる。基地局３は、携帯電話用基地局もしくは無線ＬＡＮのアクセスポイントに例示され、ネットワーク３２はインターネットに例示される。
【００４８】
アプリケーション配信サイト３１は、ネットワーク３２に接続されたサーバに例示され、アプリケーションプログラムを配信している。
【００４９】
図７に、実施の形態２における第一例の通信方法のステップが示される。
路側機６の通信機から、狭域専用通信を使用してトリガー信号を含む信号ｃ１が発信されている。
トリガー信号は、アプリケーションプログラムの指定、アプリケーションプログラムの実行命令、アプリケーションプログラムを配信しているアプリケーション配信サイトのアドレスを含む。
携帯端末５は信号ｃ１を受信し、演算部１１がトリガー信号で指定しているアプリケーションプログラムを記憶部５３が記憶しているか検索する。
記憶部５３が、トリガー信号が指定するアプリケーションプログラムを記憶している場合は、演算部５１がそのアプリケーションプログラムを読み出して実行する。
記憶部５３が、トリガー信号が指定するアプリケーションプログラムを記憶していない場合は、演算部５１が、トリガー信号に含まれ、そのアプリケーションプログラムを配信しているアプリケーション配信サイト３１のアドレスを指定して、基地局３にダウンロード指令ａ３を送信するように通信部５２を制御する。
基地局３は、ネットワーク３２を介してアプリケーション配信サイト３１と通信し、指定されたアプリケーションプログラムを含む信号ｃ３を、携帯端末５に送信する。
携帯端末５は、アプリケーションプログラムを含む信号ｃ３を受信し、そのアプリケーションプログラムをインストールして実行する。
【００５０】
実施の形態２における第一例の通信方法における携帯端末１の動作は実施の形態１の第一例の通信方法と同様なので説明は省略される。
【００５１】
上記のように、通信により携帯端末５がトリガー信号で指定されたアプリケーションプログラムを入手することにより、携帯端末５がアプリケーションプログラムを記憶していない場合でも、指定されたアプリケーションプログラムを取得して実行することができる。
さらに、トリガー信号は、アプリケーションプログラムをダウンロードするよりデータ量が小さく、路側機６と携帯端末５との通信可能時間の中でも通信可能である。さらに、携帯端末１によるアプリケーションプログラムの取得（ダウンロード）は、路側機６と携帯端末５とは別の携帯電話や無線ＬＡＮなどの通信系で行われるので、路側機６との通信のような通信時間制限がない、もしくは通信時間制限が長い。
【００５２】
図８に、実施の形態２における第二例の通信方法のステップが示される。
携帯端末５は、使用者の操作やタイムスケジュールにより、事前に基地局３、ネットワーク３２を介して、アプリケーション配信サイト３１に、アプリケーションプログラム送信指令を含む信号ｄ１を送信し、アプリケーション配信サイト３１から、ネットワーク３２、基地局３を介してアプリケーションプログラムを含む信号ｄ２を受信する。携帯端末５は、受信したアプリケーションプログラムを記憶部５３に記憶する。記憶部５３に記憶されるアプリケーションプログラムは、単数でも複数でもよい。
路側機６の狭域通信機から、狭域専用通信を使用して、トリガー信号を含む信号ｄ３が発信されている。
トリガー信号は、アプリケーションプログラムの指定、アプリケーションプログラムの実行命令を含む。
携帯端末５は、路側機６が電波を送信している所定の領域を通過する時にトリガー信号を含む信号ｄ３を受信する。携帯端末５は、通信部５２から信号ｄ３を受信し、演算部５１でトリガー信号が指定しているアプリケーションプログラムを記憶部５３が記憶しているか検索する。
記憶部５３が、トリガー信号で指定されたアプリケーションプログラムを記憶している場合は、演算部５１がそのアプリケーションプログラムを読み出して実行する。
記憶部５３が、トリガー信号で指定されたアプリケーションプログラムを記憶していない場合は、何も実行しない。
【００５３】
実施の形態２における第二例の通信方法における携帯端末５の動作は、実施の形態１における第二例の通信方法と同様なので説明は省略される。
【００５４】
上記のように、携帯端末５が、事前にアプリケーションプログラムを取得して記憶し、トリガー信号を受信した時に、アプリケーションプログラムを実行することにより、トリガー信号を受信した時に、短時間で実施されることが好ましいアプリケーションプログラムを、短時間で実行することができる。
さらに、携帯端末５として、外部からのトリガー信号で動作する携帯電話が使用される場合がある。
なお、携帯端末５は、アプリケーションプログラムを基地局３との通信で取得する他、ダウンロードのための装置や媒体から取得するように構成されることができる。
【００５５】
なお、上記の路側機６からのトリガー信号の送信は、料金収受システムにおける課金情報の送信時に行われる他、料金収受場所以外に設けられたトリガー信号送付用の路側機２から送付される場合がある。トリガー信号送付用の路側機６は、料金所以外にも目的に合わせて設置される場合がある。さらに、トリガー信号は、路側機６から連続的に常時送信される場合、特定の状況や管理者の指示により目的にあわせて送信される場合がある。
【００５６】
さらに、本実施の形態では、車載器を使用しないので、車載器がなくても使用可能である。このため、車両などに乗っていない携帯端末５に対しても適用可能である。具体的には、所定のエリアにいるもしくは通過する観客や通行者の携帯端末５に対してトリガー信号を送信することができる。
【００５７】
【発明の効果】
本発明の携帯端末は、外部からの信号を受信してアプリケーションプログラムを実行することができる。
さらに本発明の携帯端末の一形態は、外部からの信号を受信して、アプリケーションプログラムを取得し、実行することができる。
【図面の簡単な説明】
【図１】図１は、実施の形態１における携帯端末および通信システムの概要を示す。
【図２】図２は、実施の形態１における第一例の通信方法のステップを示す。
【図３】図３は、実施の形態１における第一例の通信方法における携帯端末の動作を示す。
【図４】図４は、実施の形態１における第二例の通信方法のステップを示す。
【図５】図５は、実施の形態１における第二例の通信方法における携帯端末の動作を示す。
【図６】図６は、実施の形態２における携帯端末および通信システムの概要を示す。
【図７】図７は、実施の形態２における第一例の通信方法のステップを示す。
【図８】図８は、実施の形態２における第二例の通信方法のステップを示す。
【符号の説明】
１  携帯端末
２  路側機
３  基地局
４  車載器
５  携帯端末
６  路側機
１１  演算部
１２  通信部
１３  外部信号入力部
１４  記憶部
３１  アプリケーション配信サイト
３２  ネットワーク
５１  演算部
５２  通信部
５３  記憶部
【図１】
2004213502.tif 000003
【図２】
2004213502.tif 000004
【図３】
2004213502.tif 000005
【図４】
2004213502.tif 000006
【図５】
2004213502.tif 000007
【図６】
2004213502.tif 000008
【図７】
2004213502.tif 000009
【図８】
2004213502.tif 000010